(57)【要約】【課題】均一に熟成させることができ、また地下水汚染も防止できる腐植土の製造方法を提供する。【解決手段】家畜の糞尿に鉄分を含有するミネラル水を噴霧しながら攪拌および放散させつつ、当該糞尿を土層１５の上に高さ２００ｃｍ±１２０ｃｍで畝状に盛り、これを熟成させて腐植土とする。土層１５は、コンクリート製床１１の上に敷設された砂礫層１６の上に敷設されている。【選択図】  図１
2005047742.tif 000002
【特許請求の範囲】
【請求項１】
家畜の糞尿に、少なくとも鉄分を含有するミネラル水を噴霧しながら攪拌および放散させつつ、当該糞尿を土層の上に高さ２００ｃｍ±１２０ｃｍでうね（畝）状に盛り、これを熟成させて腐植土とする製造方法であって、前記土層は、コンクリート製床上に敷設された砂礫層の上に敷設されていることを特徴とする腐植土の製造方法。
【請求項２】
前記コンクリート製床に隣接した位置にピットが設けられ、前記コンクリート製床が前記ピットに向かって傾斜していることを特徴とする請求項１記載の腐植土の製造方法。
【請求項３】
前記ピットに前記ミネラル水を貯留し、これを汲み上げて前記家畜の糞尿に噴霧することを特徴とする請求項２記載の腐植土の製造方法。
【請求項４】
前記土層の厚さは２０ｃｍ以上、前記砂礫層の厚さは５ｃｍ〜５０ｃｍであることを特徴とする請求項１〜３の何れかに記載の腐植土の製造方法。
【発明の詳細な説明】
【技術分野】
【０００１】
本発明は、家畜の糞尿から腐植土（有機肥料シード）の製造方法に関する。
【背景技術】
【０００２】
腐植土は家畜の糞尿を熟成させることで得られるが、家畜の糞尿には尿素分（アンモニア態窒素）が含まれているのでこれを土の上に盛ると、硝酸態窒素による地下水汚染の問題がある。このため、糞尿はコンクリートの床の上に盛ることが義務づけられている。
【０００３】
しかしながら、コンクリート製の床上に糞尿を直接盛ると、盛り山の中心部分が熟成しにくいという問題があった。
【考案の開示】
【０００４】
本発明は、均一に熟成させることができ、また地下水汚染も防止できる腐植土の製造方法を提供することを目的とする。
上記目的を達成するために、本発明によれば、家畜の糞尿に、少なくとも鉄分を含有するミネラル水を噴霧しながら攪拌および放散させつつ、当該糞尿を土層の上に高さ２００ｃｍ±１２０ｃｍでうね（畝）状に盛り、これを熟成させて腐植土とする製造方法であって、前記土層は、コンクリート製床上に敷設された砂礫層の上に敷設されていることを特徴とする腐植土の製造方法が提供される。
【０００５】
本発明では、家畜の糞尿を放散させて畝状に盛る際に少なくとも鉄分を含有するミネラル水を噴霧しながら攪拌する。家畜の糞尿は悪臭を発するがこれに鉄分含有ミネラル水を噴霧することで悪臭の原因となる臭気が特に鉄分に吸着され、悪臭の発生が抑制される。
【０００６】
また、高さ２００ｃｍ±１２０ｃｍでうね（畝）状に盛り上げるので、特に中心部分も好適に熟成し、これにより、腐植土の製造期間がトータル的に短くなる。
【０００７】
さらに、糞尿を盛る土層の下には砂礫層が敷設され、その下にコンクリート製床が設けられているので、糞尿に含まれた液体分は土層から砂礫層を通過することができ、これによっても熟成が促進される。なお、コンクリート製床が設けられているので糞尿に含まれた尿素が地下水を汚染することが防止される。
【発明の実施の形態】
【０００８】
以下、本発明の実施形態を図面に基づいて説明する。
まず、図１〜図３を参照しながら、本発明の実施形態に係る腐植土の製造方法について説明する。
【０００９】
本例の腐植土は、家畜の糞尿を常温で熟成させることで得られるが、糞尿から発する悪臭を抑制するために熟成させる前に、少なくとも鉄分を含有するミネラル水を噴霧しながら攪拌し、これを放散させる。この様子を図３に示す。
【００１０】
本例で好ましく用いられるミネラル水は、少なくとも鉄分を含むものであれば良く、鉄分の他、たとえばカリウム、ナトリウム、カルシウム、マグネシウム、亜鉛等を含んでも良い。
【００１１】
家畜の糞尿に上述したミネラル水を噴霧しながら攪拌し放散させる方法は特に限定されない。たとえば、図３に示すように家畜の糞尿１を作業車２の荷台に積み、荷台の後部に設けられた大型放散機（スプレッダー）３で攪拌・放散させながら、この攪拌・放散中の糞尿に噴霧機４などを用いてまんべんなくミネラル水５を噴霧する。噴霧機４はスプレッダー３の近傍に装着しておく。
【００１２】
作業車２の荷台に積んだ家畜の糞尿１をスプレッダー３にて攪拌・放散させながら作業車２を低速で前進させると、地面６に糞尿が畝状に盛られることになる。ここで、家畜の糞尿を畝状に盛るにあたり、その高さＨ（図２参照）を２００ｃｍ±１２０ｃｍとすることが望ましい。これより高く盛ると中心部分の熟成が不十分となり、逆にこれより低く盛ると腐植土の生産性が低下することになる。
【００１３】
特に本例では糞尿を盛る地面の構造を以下のようにしている。
【００１４】
家畜の糞尿を熟成させる小屋とその地面の構造を図１および図２に示すが、糞尿に含まれる尿素分（アンモニア態窒素）が地面に浸透し、これが地下水に混入するのを防止するために、コンクリート製の床１１と壁面１２が地面１３から深さ１５ｃｍ〜６０ｃｍのところに設けられている。またこのコンクリート製床１１に隣接して上述したミネラル水の原液を貯留しておくピット１４が設けられ、コンクリート製床面１１はこのピット１４に向かって角度αで傾斜するように設けられている。こうすることで、糞尿に含まれた尿素分（アンモニア態窒素）などの液体分は後述する土層１５と砂礫層１６を通過してコンクリート製床面１１に至り、その傾斜によってピット１４に集約されることになる。したがって、このピット１４に集約された液体分を廃液処理するか、あるいはこれを再び家畜の糞尿に対して噴霧することで、地下水に有害物質が混入するのを防止することができる。
【００１５】
コンクリート製床１１には１０ｃｍ〜４０ｃｍ程度の厚さで砂礫が敷きつめられている。これを砂礫層１６と称する。さらにこの砂礫層１６の上には２０ｃｍ以上の厚さで土が敷きつめられている。これを土層１５と称する。砂礫層１６および土層１５の厚さは特に本発明を限定するものではないが、好ましくは合計の厚さを１５ｃｍ以上とする。
【００１６】
これら砂礫層１６および土層１５をコンクリート製床１１の上に設けることで、畝状に盛られた家畜の糞尿１７に含まれた液体分が円滑に土層１５および砂礫層１６に流れ出し、糞尿１７の熟成を促進させることができる。特に砂礫層１６を設けることでこうした液体分が除去できるので、畝状に盛られた糞尿１７の中心部分１７ａも好適に熟成することになる。なお、糞尿１７に含まれる液体分を除去するためには砂礫層１６のみを設けることで足りるが、熟成後の腐植土をショベルですくう際などの作業性を考慮すると、土層１５を設けておくことがより好ましい。
【００１７】
糞尿１７の熟成期間は２週間〜３週間とする。この程度熟成されたら、糞尿１７をショベルですくって作業車２の荷台に積み、図３に示すようにミネラル水５を噴霧しながら再び攪拌・放散させ、再度地面６の上に畝状に盛る。トータルの熟成期間が１００日前後になるまで以上の工程を繰り返す。
【００１８】
こうして得られる腐植土は、家畜の糞尿を熟成させたものであるが、糞尿特有の悪臭は全くなく、使用する際にも処理環境の問題がない。
【００１９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００２０】
たとえば、図１および図２に示す地面の構造では、地面１３の下にコンクリート製床面１１を設けたが、地面１３の上にコンクリート製床を形成し、その上にさらに砂礫層１６と土層１５を設けてもよい。
【図面の簡単な説明】
【００２１】
【図１】本発明の実施形態に係る腐植土の盛り土の状態を示す図である。
【図２】本発明の実施形態に係る腐植土の盛り土の状態を示す断面図である。
【図３】本発明の実施形態に係る糞尿の放散状態を示す図である。
【符号の説明】
【００２２】
１１…コンクリート製床
１２…コンクリート製壁面
１３…地面
１４…ピット
１５…土層
１６…砂礫層
１７…糞尿
【図１】
2005047742.tif 000003
【図２】
2005047742.tif 000004
【図３】
2005047742.tif 000005